【手続補正書】
【提出日】平成26年4月30日(2014.4.30)
【手続補正１】
【補正対象書類名】明細書
【補正対象項目名】００２４
【補正方法】変更
【補正の内容】
【００２４】
背凭れフレーム(11)の第２部分(14)は、複数の背凭れ構成要素からなっており、これら背凭れ構成要素は、互いに一体的に成形され、座部フレーム(12)と一体的に成形される。背凭れフレームの第２部分と座部フレームの各構成要素(39)は、相互に連結している溝(41)又はチャンネルによって分離されており、それらの溝(41)は、座った使用者を支持するフレームに望ましいレベルのサポートと可撓性を与える大きさと構成にされている。座部フレーム(12)と背凭れフレームの第２部分(14)とは、プラスチック又は高分子材料で一体的に成形されて、座席のシェルを形成することが好ましい。
【手続補正２】
【補正対象書類名】明細書
【補正対象項目名】００２５
【補正方法】変更
【補正の内容】
【００２５】
或いは、当然のことながら、座部フレーム(12)及び背凭れフレーム(11)の第２部分(14)は、金属から形成されてよく、又は、高分子材料、金属又は他の材料でできた複数の異なる背凭れフレーム構成要素及び座部フレーム構成要素を相互に結合して組み立てられてもよい。例えば、座部フレーム(12)と背凭れフレーム(11)の第２部分(14)とは、高分子材料で一体的に成形されてよく、例えば、構造用ＲＩＭ材料(structural RIM material)、硬いスキン付構造用ポリウレタンフォーム(structural rigid integral skin RIM material)、即ち、ポリウレタンＲＩＭ材料、ポリイソシアヌレートＲＩＭ材料、ポリエステルＲＩＭ材料、ナイロン６注入成形材料、ポリエポキシドＲＩＭ材料、又はポリウレアＲＩＭ材料で一体的に成形されてよい。座部フレーム(12)及び背凭れフレーム(11)の第２部分(14)の構成又は構造は、背凭れフレームの第１部分(13)よりも固いか、又は可撓性が低いことが好ましい。背凭れフレームの第２部及び座部フレームの背凭れフレーム構成要素に選択される材料は、座った使用者に望ましいサポートと快適性を与える背凭れフレームを提供するために選ばれることは明らかである。
【手続補正３】
【補正対象書類名】明細書
【補正対象項目名】００３２
【補正方法】変更
【補正の内容】
【００３２】
ガススプリングを作動させることで、椅子(51)の高さは、低い位置から高い位置へ、又は、高い位置から低い位置へ調整される。ガススプリング(56)は、座部フレーム(54)及び背凭れフレーム(53)が、ガススプリングに対して回転自在なように座部フレーム(54)に取り付けられてよい。例えば、支柱溶接物(57)(swivel post weldment)がガススプリングの頂部に取り付けられて、座部フレーム(54)と背凭れフレーム(53)を回転可能にしてもよい。ガススプリングはまた、座部フレーム(54)と背凭れフレーム(53)が傾動又は揺動できるように座部フレーム(54)に取り付けられてもよい。例えば、支柱溶接物(57)は、回転と角度調整の両方を可能とするフレキシブルジョイントを含んでよい。
【手続補正４】
【補正対象書類名】明細書
【補正対象項目名】００３３
【補正方法】変更
【補正の内容】
【００３３】
好ましい背凭れフレーム(53)が、図２０及び図２１に示されている。背凭れフレーム(53)は、椅子の実施形態に含まれてよい。この背凭れフレームは、複数の背凭れフレーム支持部(61),(62),(63),(64)及び(65)からなる上部(60)を含んでいる。背凭れフレーム支持部(61),(62),(63),(64)及び(65)は、背凭れフレーム支持部の前面に沿った第１セットの弾性部(71),(72),(73)及び(76)によって、相互に結合されている。背凭れフレーム支持部(61),(62),(63),(64)及び(65)はまた、背凭れフレーム支持部の前面に沿った第２セットの弾性部(74),(75)及び(77)によって、背凭れフレームの下部(67)に結合される。
【手続補正５】
【補正対象書類名】特許請求の範囲
【補正対象項目名】全文
【補正方法】変更
【補正の内容】
【特許請求の範囲】
【請求項１】
ベースと、
前記ベースに取り付けられる座部フレームと、
背凭れフレームと、
を備えており、
前記背凭れフレームは、少なくとも１つの第１の細長の弾性部材によって、下部に対して移動可能に取り付けられる上部と、前記座部フレームに取り付けられる前記背凭れフレームの前記下部と、を有し、
前記背凭れフレームの前記上部は、複数の背凭れ支持部構成要素を有し、各背凭れ支持部構成要素は、少なくとも１つの第２の細長の弾性部材によって、少なくとも１つの他の背凭れ支持部構成要素に結合され、
前記背凭れ支持部構成要素の前記上部は、直立位置からリクライニング位置へ動くように構成され、
前記少なくとも１つの第１の細長の弾性部材は、前記上部がリクライニング位置に移動したときに、曲がるように構成され、
前記背凭れフレームの前記上部がリクライニング位置に移動した後、少なくとも１つの第１の細長の弾性部材が、前記背凭れフレームの前記上部を直立位置へ付勢しないように、前記上部背凭れフレーム部が、下部背凭れフレーム部に取り付けられる、家具。
【請求項２】
前記背凭れフレームは、前記背凭れフレームの前記上部が、前記背凭れフレームの前記上部の位置を固定するように構成されたロック機構を用いずに、少なくとも１つのリクライニング位置を維持するように構成される、請求項１に記載の家具。
【請求項３】
前記背凭れフレームの前記上部は、前記背凭れフレームの前記下部に対して移動可能であり、前記背凭れフレームの前記下部が、前記座部フレームに対して移動できないように、前記背凭れフレームの前記下部が前記座部フレームに取り付けられる、請求項１に記載の家具。
【請求項４】
前記少なくとも１つの第１の細長の弾性部材は、第１の弾性片で構成され、前記背凭れフレームの前記上部は、複数の背凭れ支持部構成要素で構成され、
前記第１の弾性片は、第１側部と、前記第１側部の反対側にある第２側部とを有し、前記第１及び第２側部は、前記第１の弾性片の長手側にあり、前記第１の弾性片の前記第１側部は、前記背凭れ支持部構成要素の前記上部の後面の一部に接して配置されると共に、前記背凭れフレームの下部の前面の一部に接して配置される、請求項１に記載の家具。
【請求項５】
前記少なくとも１つの第１の弾性部材は、複数の付加的な第１の弾性片から構成され、各付加的な第１の弾性片は、前記背凭れフレームの前記上部の対応する背凭れ支持部構成要素から、前記背凭れフレームの前記下部の一部へ延びる、請求項４に記載の家具。
【請求項６】
前記背凭れフレームは、前面と後面とを有し、前記少なくとも１つの第２の弾性部材は、前記背凭れフレームの前記後面に配置される複数の第２の弾性片で構成される、請求項５に記載の家具。
【請求項７】
前記第１の弾性片は、前記第１弾性片の長さが、少なくとも１つの第２弾性片の全長を横断できる長さを有し、位置合わせがされる、請求項６に記載の家具。
【請求項８】
前記ベースは、前記座部フレームに取り付けられる複数の足部で構成されるか、又は前記ベースは、前記座部フレームに取り付けられる台で構成される、請求項１に記載の家具。
【請求項９】
前記台は、前記座部フレームに取り付けられるガススプリングで構成される、請求項８に記載の家具。
【請求項１０】
前記座部フレームは、前記ベースに対して、少なくとも１つが回転可能であり、前記ベースに対して傾斜可能に、前記ベースに取り付けられる、請求項１に記載の家具。